(57)【特許請求の範囲】
【請求項１】
天板を備え、当該天板を、基部の上方で略水平となる使用位置と、前記基部の水平方向の一方側において傾斜した状態となる開放位置と、との間で変位可能に支持する天板ユニットであって、
前記天板に設けられる天板回転軸と、前記使用位置のときに前記天板回転軸よりも前記一方側となる位置において前記基部に設けられる基部回転軸と、前記天板回転軸および前記基部回転軸それぞれに対して回動可能に連結するロッドと、からなるリンク機構と、
前記天板において前記天板回転軸よりも前記一方側にて前記天板を摺動可能に支持する摺動機構と、を備える
ことを特徴とする天板ユニット。
【請求項２】
前記摺動機構は、
前記天板において、長手方向が摺動方向となるように設けられる長尺部材と、
前記基部に設けられ、前記長尺部材と前記長手方向にのみ摺動可能に係合し、前記摺動に応じて前記基部に対する角度が変化する係合部材と、を備える
ことを特徴とする請求項１に記載の天板ユニット。
【請求項３】
前記摺動機構は、
前記天板に設けられ、摺動方向に沿って延びる凹部または凸部を有するガイド部と、
前記基部に設けられ、前記凹部または凸部と接触可能に形成される接触部と、を備え、
前記ガイド部は、前記接触部と接触した状態において、前記摺動方向への摺動が案内され、前記摺動方向と交差する方向の摺動が抑制される
ことを特徴とする請求項１に記載の天板ユニット。
【請求項４】
前記摺動機構は、前記基部に設けられるローラーを備えており、前記ローラーの円周面が前記天板と接触することで摺動する
ことを特徴とする請求項１に記載の天板ユニット。
【請求項５】
前記リンク機構は、前記天板回転軸の軸線方向に並べて複数設けられている
ことを特徴とする請求項１から請求項４のいずれか１項に記載の天板ユニット。
【請求項６】
前記摺動機構は、前記天板回転軸の軸線方向に並べて複数設けられている
ことを特徴とする請求項１から請求項５のいずれか１項に記載の天板ユニット。
【請求項７】
前記天板は、前記開放位置において、前記天板の少なくとも一部が前記基部よりも下方に位置する
ことを特徴とする請求項１から請求項６のいずれか１項に記載の天板ユニット。
【請求項８】
請求項１から請求項７のいずれか１項に記載の天板ユニットを備える机。
【請求項９】
前記机は、前記使用位置にある前記天板の下側に第２天板を備える
ことを特徴とする請求項８に記載の机。
【発明の詳細な説明】
【技術分野】
【０００１】
本発明は、天板が基部の上方で略水平となる使用位置と、基部の水平方向の一方側において傾斜した状態となる開放位置と、の間で変位可能に支持する天板ユニット、および当該天板ユニットを備える机に関する。
【背景技術】
【０００２】
小型コンピュータの普及に伴い、学校でもこれを使用した講義が採り入れられ、ノート
パソコンなど小型コンピュータを常設した机が使用されている。ここで、小型コンピュータを使用しないときには通常の机として使用できるように、机上の小型コンピュータを覆う可動型の天板を設け、小型コンピュータを使用する講義のときは、天板を上方へ跳ね上げて開放する机が使用されている。
【０００３】
上述した机は、開放した天板が上方の高い位置にあると、受講者の前方の視界が遮られ、講師とのコミュニケーションが阻害されてしまう。そこで、天板の開放時は天板を机の前面に垂直に収納するように構成した机が提案されている（特許文献１参照）。この机は、天板（蓋１６）を上方へ跳ね上げた後、机の前方に配置された蓋収容部１７に天板を収容することで、跳ね上げた天板が視界を遮ることが無くなる。
【０００４】
しかしながら、特許文献１の机は天板を落としこむように収容するものであるため、落下時に速度を減衰させるための機構や、がたつきを防止するための機構を必要とするため、構造が複雑で製造コストが増大するとともに、天板の開閉も従前のものに比べ扱いづらく、頻繁に開閉を行うような場面には不向きであった。
【０００５】
そこで、従来、上側に位置する動作可能な天板（可動天板）を開放したとき、机の前面において、垂直かつ天板の幅寸法の半分程度が下側の天板（固定天板）の高さより下方に位置するように、固定天板上の前部左右に設けた支持ブロックに可動天板をそれぞれ２本のリンクで４点リンクにして連結したことを特徴とする教室用机が提案されている（特許文献２参照）。
【０００６】
上述した特許文献２の机は、構造が簡素であり、また、特許文献１の机と比較すると開閉操作を容易に行うことができる。
【先行技術文献】
【特許文献】
【０００７】
【特許文献１】特許第２６５５０２７号公報
【特許文献２】特許第３７１３５０２号
【発明の概要】
【発明が解決しようとする課題】
【０００８】
しかしながら、上述した特許文献２の机は、可動天板が略水平となる位置から開放位置に移動させる過程にて一度可動天板が前方に突出し、その後、略鉛直となって固定天板の前方に収まる。よって、机の前方にその可動天板が突出するための空間を確保する必要がある。その結果、その空間には椅子などを配置することができず、前後方向の机の配置間隔が広くなってしまったり、着座のための空間が狭くなってしまったりするという問題があった。
【０００９】
本発明は、上述した問題に鑑みてなされたものであり、その目的は、天板を変位させる際の前方への突出量を小さくすることができる天板ユニットおよび当該天板ユニットを備える机を提供することである。
【課題を解決するための手段】
【００１０】
上述した問題を解決するためになされた請求項１に記載の発明は、天板を備え、当該天板を、基部の上方で略水平となる使用位置と、前記基部の水平方向の一方側において傾斜した状態となる開放位置と、との間で変位可能に支持する天板ユニットであって、前記天板に設けられる天板回転軸と、前記使用位置のときに前記天板回転軸よりも前記一方側となる位置において前記基部に設けられる基部回転軸と、前記天板回転軸および前記基部回転軸それぞれに対して回動可能に連結するロッドと、からなるリンク機構と、前記天板において前記天板回転軸よりも前記一方側にて前記天板を摺動可能に支持する摺動機構と、を備えることを特徴とする。
【００１１】
なお、天板を摺動可能に支持する、とは、天板の上述した変位に伴って、天板における摺動機構に荷重を掛ける位置が移動するように、天板を支持することである。
また、開放位置における天板の傾斜とは、水平方向に対して角度を有することである。
【００１２】
また、天板回転軸とはロッドの回転の中心となる軸である。基部回転軸も同様にロッドの回転の中心となる軸である。具体的な構成としては、例えばロッドを支持する軸状の部材が天板や基部に対して固定または回転可能に連結される構成が考えられる。
【００１３】
このように構成された天板ユニットでは、使用位置から開放位置に天板を変位させると、天板回転軸が一方側かつ基部回転軸の上方に移動する。その状態において、摺動機構が天板と接触する接触領域は、天板回転軸の位置に比べて下方に位置するため、天板は天板回転軸と接触領域とを結ぶ直線に沿うように傾斜した状態となる（即ち天板の他方側が一方側より上になるように傾斜する。なお、ここでいう傾斜とは、略鉛直の状態を含む。）。また、このとき天板における一方側は一部が上記接触領域よりも下に位置することとなる。
【００１４】
そして、上記構成の天板ユニットでは、天板が使用位置と開放位置との間で移動する過程において、天板が一方側に突出する突出量を小さくすることができる。
また、本発明の天板ユニットでは、天板を変位させるときに天板を支持するリンク機構におけるロッドや各回転軸のこじれ（もつれ）が生じにくいため、スムーズな変位を実現できる。従来の４点リンクで天板を支持する構成では、４点のリンクがいずれもバランスよく回転しないとリンクアームや回転軸がこじれて（もつれて）引っ掛かり、スムーズに変位できなくなってしまう。
【００１５】
従来の４点リンクによる天板ユニットの一例を図１３に示す。図１３の例では、上側の天板１２１が４つのリンクアーム１２５，１２７，１２９，１３１によって下側の天板１２３と重なるように支持される。リンクアームを固定する部材は図示を省略する。天板１２１は天板１２１ａの位置に変位可能である。
【００１６】
この従来の天板ユニットにおいて、使用者が天板１２１を変位させるために天板１２１の左端のみを持ち上げると（図中矢印Ａ方向に荷重を加えると）、天板１２１の左端が相対的に上になり（矢印Ｂ，Ｃ方向に移動）、右端が下となる（矢印Ｄ，Ｅの方向に移動）ように天板１２１が傾いた状態となる。このように天板１２１が傾いた状態で変位させると、右端に回転時の荷重が強く掛かったり、天板１２１の傾きに伴って一部のリンクアームが傾斜してずれたりすることによって、リンクアームや回転軸がこじれやすくなる。このことは、天板１２１の右端を持ち上げた場合も同様に発生する。よって、天板１２１の変位操作は、傾きが生じないように左右の中央を持ち上げて行うことが好ましかった。
【００１７】
一方、本発明では１点がリンクではなく摺動機構が摺動する構成であるため、こじれる前に摺動機構が摺動しロッドのズレを吸収することとなり、４点リンクの構成と比較してこじれが生じにくい。よって、例えば天板の左右いずれか一端を持ち上げて、天板が少々傾こうとする状態であっても、スムーズに天板の変位を実現できる。
【００１８】
請求項２に記載の発明は、請求項１に記載の天板ユニットにおいて、前記摺動機構が、前記天板において、長手方向が摺動方向となるように設けられる長尺部材と、前記基部に設けられ、前記長尺部材と前記長手方向にのみ摺動可能に係合し、前記摺動に応じて前記基部に対する角度が変化する係合部材と、を備えることを特徴とする。
【００１９】
このように構成された天板ユニットでは、天板の一方側が摺動機構と連結することとなるため、天板の一方側が摺動機構から離れてしまうことを防止できる。よって、天板が変位するときの天板の位置が安定するため、変位時に天板が揺動することが抑制でき、容易かつ安全に変位を実現することができる。
【００２０】
また、摺動機構によって天板の移動方向を案内できるため、こじれの発生をさらに低減できる。
請求項３に記載の発明は、請求項１に記載の天板ユニットにおいて、前記摺動機構が、前記天板に設けられ、摺動方向に沿って延びる凹部または凸部を有するガイド部と、前記基部に設けられ、前記凹部または凸部と接触可能に形成される接触部と、を備えており、前記ガイド部は、前記接触部と係合した状態において、前記摺動方向への摺動が案内され、前記摺動方向と交差する方向の摺動が抑制されることを特徴とする。
【００２１】
このように構成された天板ユニットでは、接触部とガイド部とが接触した状態において、接触部とガイド部との摺動方向が案内され、摺動方向と交差する方向に摺動しにくくなる。その結果、天板を変位させたときに天板の位置が案内されることとなり、天板がずれてこじれてしまうことを抑制できる。
【００２２】
請求項４に記載の発明は、請求項１に記載の天板ユニットにおいて、前記摺動機構が前記基部に設けられるローラーを備えており、前記ローラーの円周面が前記天板と接触することで摺動することを特徴とする。
【００２３】
このように構成された天板ユニットでは、ローラーによって摩擦を小さくした状態で天板の摺動を行うことができるため、スムーズに天板の変位を実現できる。
請求項５に記載の発明は、請求項１から請求項４のいずれか１項に記載の天板ユニットにおいて、前記リンク機構が前記天板回転軸の軸線方向に並べて複数設けられていることを特徴とする。
【００２４】
また請求項６に記載の発明は、請求項１から請求項５のいずれか１項に記載の天板ユニットにおいて、前記摺動機構が前記天板回転軸の軸線方向に並べて複数設けられていることを特徴とする。
【００２５】
請求項５および請求項６のように構成された天板ユニットでは、複数のリンク機構または複数の摺動機構により天板を安定して支持することができる。
請求項７に記載の発明は、請求項１から請求項６のいずれか１項に記載の天板ユニットにおいて、前記天板が前記開放位置にあるとき、前記天板の少なくとも一部が前記基部よりも下方に位置することを特徴とする。
【００２６】
このように構成された天板ユニットでは、天板が開放位置にあるときに基部の下方に天板が収まり、全体を小さくまとめることができる。これにより、開放状態において天板が基部より上方にあることによる制限（例えば、天板によって視界が遮られること）を低減することができる。
【００２７】
請求項８に記載の発明は、請求項１から請求項７のいずれか１項に記載の天板ユニットを備える机である。
このように構成された机では、天板ユニットによって、天板を使用位置と開放位置との間で変位させることができるとともに、さらに天板が使用位置と開放位置との間で移動する過程において、天板が一方側に突出する突出量を小さくすることができる。
【００２８】
そのため、天板が移動するために必要な基部の一方側の空間を小さくすることができる結果、講義室のように複数の机を密集して並べて用いる場合においては、その天板ユニットを備える机の配置間隔を小さくすることや、着座のための空間を広くとることが可能になる。
【００２９】
請求項９に記載の発明は、請求項８に記載の机において、前記使用位置にある前記天板の下側に第２天板を備えることを特徴とする。
このように構成された机では、天板を使用位置とすることで天板を使用でき、天板を開放位置とすることで第２天板を使用することができる。よって、例えば第２天板にはノートパソコンなどの小型コンピュータを設置しておくことで、小型コンピュータを使用しない場合には天板を使用位置とすることで小型コンピュータが邪魔にならずに机上で作業を行うことができ、天板を開放位置に移動するだけですぐに小型コンピュータを使用した作業を行うことができるようになる。
【図面の簡単な説明】
【００３０】
【図１】本実施例の机を示す平面図（Ａ）および正面図（Ｂ）
【図２】本実施例の机を示す側面図
【図３】天板保持部周辺の拡大図であって、側面図（Ａ）、正面図（Ｂ）、背面図（Ｃ）、平面図（Ｄ）
【図４】天板保持部周辺の拡大図であって、側面図（Ａ）、正面図（Ｂ）、背面図（Ｃ）
【図５】リンクベース周辺の断面図
【図６】スライドリンク周辺の断面図（Ａ），（Ｂ）
【図７】本実施例の上側天板の変位の軌跡を示す側面図（Ａ）および従来の机における上側天板の変位の軌跡を示す側面図（Ｂ）
【図８】天板保持部の変形例を示す側面図（Ａ），背面図（Ｂ），平面図（Ｃ）
【図９】天板保持部の変形例を示す側面図（Ａ），背面図（Ｂ），平面図（Ｃ）
【図１０】天板保持部の変形例を示す側面図（Ａ），背面図（Ｂ），平面図（Ｃ）
【図１１】天板保持部の変形例を示す側面図（Ａ），（Ｂ）
【図１２】天板保持部の変形例を示す断面図（Ａ），（Ｂ），（Ｃ）
【図１３】従来の天板ユニットにおけるこじれの発生を説明する図
【発明を実施するための形態】
【００３１】
以下に本発明の実施形態を図面と共に説明する。ただし、以下に説明する実施形態は、あくまでも例示にすぎず、本発明が、下記の事例以外にも様々な形態で実施できるのはもちろんである。
［実施例］
（１）机の全体構成
本実施例の机１を図１（Ａ），（Ｂ）に示す。図１（Ａ）は平面図であり、図１（Ｂ）は正面図である。また、机１の側面図を図２に示す。
【００３２】
机１は、会議室や講義室などの多人数が密集して着席する場面で用いられる机であって、上側天板１１と下側天板１３とを備えている二重天板式の机である。図１（Ａ），（Ｂ）において、左側が通常使用時、右側がパソコン使用時である。
【００３３】
上側天板１１は使用者ごとに個別に設けられて、通常使用時とパソコン使用時で位置が変位する。下側天板１３は３人が共通して使用できるように椅子３の並ぶ方向（左右方向）に長く形成されていて、主たる面が水平に配置され、変位不能に構成されている。なお、上側天板１１が本発明における天板に相当し、下側天板１３が本発明における第２天板および基部に相当する。
【００３４】
通常使用時には、上側天板１１が下側天板１３の上方で略水平となっており、使用者は上側天板１１を一般的な机の天板のように使用することができる。パソコン使用時には、上側天板１１は前方（本発明における一方側）に移動しながら傾斜して主たる面が略鉛直となり、また一部が下側天板１３よりも下方に移動する。その結果、使用者はパソコン５を使用できるようになるとともに、前方を広く視認できるようになる。このような上側天板１１の動作は、上側天板１１の左右両端付近に配置される天板保持部１５によって実現される。天板保持部１５の詳細は後述する。
【００３５】
上側天板１１の後方には、通常使用時において下側天板１３と接触し、上側天板１１の高さを水平に保つとともに上側天板１１を安定させるストッパ１７が設けられている。
なお、以下の説明において、上側天板１１における前後方向とは、通常使用時において前後方向となる方向を指すものとする。前後左右の方向は、使用者が椅子３に着座したときの方向を規準としている。
【００３６】
なお、上記通常使用時の上側天板１１の位置が本発明における使用位置に相当し、パソコン使用時の位置が開放位置に相当する。
（２）天板保持部の構成
机１における天板保持部１５周辺の拡大図を図３（Ａ）〜（Ｄ）および図４（Ａ）〜（Ｃ）に示す。図３（Ａ）〜（Ｄ）はパソコン使用時の状態であり、（Ａ）が側面図、（Ｂ）が正面図、（Ｃ）が背面図、（Ｄ）が平面図である。図４（Ａ）〜（Ｃ）は通常使用時の状態であり、（Ａ）が側面図、（Ｂ）が正面図、（Ｃ）が背面図である。
【００３７】
天板保持部１５は、上側天板１１に固定される第１リンクベース２１およびスライドレール２３と、下側天板１３に固定される第２リンクベース２５と、第１リンクベース２１と第２リンクベース２５とを連結するロッドリンク２７と、スライドレール２３と第２リンクベース２５とを連結するスライドリンク２９と、を備える。
【００３８】
第１リンクベース２１には第１軸部材３１が取り付けられている。また、第２リンクベース２５は、第２軸部材４１および第３軸部材４３が取り付けられている。これら第１軸部材３１、第２軸部材４１および第３軸部材４３は、その軸方向が左右方向となるように取り付けられている。なお、第１軸部材３１が本発明における天板回転軸を構成するものであり、第２軸部材４１が本発明における基部回転軸を構成するものである。
【００３９】
図４（Ａ）に示す通常使用時においては、前方から順に第３軸部材４３、第２軸部材４１、第１軸部材３１の順となるように配置される。なお、第３軸部材４３は下側天板１３の前方端部近傍に配置される。
【００４０】
ロッドリンク２７は、その一端が第１軸部材３１に対して回動可能に連結されており、他端が第２軸部材４１に対して回動可能に連結されている。
図３（Ｃ）におけるＡ−Ａ断面図を図５に示す。
【００４１】
スライドレール２３は、断面略Ｃ字型を有する長尺部材であって、その開口とは反対側が上側天板１１に固定される。また、このスライドレール２３は、その長手方向が上側天板１１の前後方向と一致するように配置される。
【００４２】
第１軸部材３１は、両端に雌ネジ３３ａが形成された円筒形状の主部３３に対して、両端からネジ３５を締められることで第１リンクベース２１に固定される。ロッドリンク２７は、その一端に形成された貫通穴を第１軸部材３１が通過するように取り付けられている。
【００４３】
また、第１軸部材３１の周囲を囲うようにサポートバネ３７（コイルバネ）が配置されており、天板を通常使用時に変位させるときの緩衝を行うとともに、通常使用時の位置から天板を持ち上げる動作を補助する。なお、同様のバネは第１軸部材３１以外の回転軸において設けられていてもよい。
【００４４】
なお、第１リンクベース２１はスライドレール２３上に配置されるが、ネジによって上側天板１１に固定されているため、スライドレール２３上を移動することはない。
第２軸部材４１は、第２リンクベース２５の左右両側から挿入されるピン形状の部材である。ロッドリンク２７は、その他端に形成された貫通穴を第２軸部材４１が通過するように取り付けられている。
【００４５】
図４（Ａ）におけるＢ−Ｂ断面図を図６（Ａ）に示す。またＣ−Ｃ断面を図６（Ｂ）に示す。
第３軸部材４３は棒状の部材である。スライドリンク２９は、スライドリンク２９に形成された貫通穴にこの第３軸部材４３を通過させることで、第３軸部材４３を中心として回動可能となるように第２リンクベース２５に連結される。また、スライドリンク２９はスライドレール２３と摺動可能に係合している。このスライドリンク２９は、上側天板１１（スライドレール２３）に対して常に同じ向きとなるように、上側天板１１の変位に応じて回動して下側天板１３に対する角度が変化する。
【００４６】
スライドリンク２９はボルト５１によって第３軸部材４３に固定されている。第３軸部材４３にはダンパー５３が取り付けられているため、スライドリンク２９が急激に回動することが防止される。なお、ダンパー５３は第３軸部材４３以外の回転軸に設けられていてもよい。
【００４７】
またスライドリンク２９には、スライドレール２３と係合する断面略Ｔ字型のスライド樹脂５５が形成されている。図６（Ａ），（Ｂ）のようにスライドレール２３にスライド樹脂５５が係合した状態ではスライド樹脂５５はスライドレール２３の長手方向にのみ摺動可能となる。
【００４８】
なお、第１リンクベース２１、第２リンクベース２５、ロッドリンク２７が本発明におけるリンク機構を構成している。また、スライドレール２３、スライドリンク２９、第２リンクベース２５が本発明における摺動機構を構成しており、上側天板１１を摺動可能に支持している。
（３）本実施例の上側天板の動作と従来品との比較
図７（Ａ）に、本実施例の天板保持部１５を用いた上側天板１１の変位の軌跡を示す。また、図７（Ｂ）に従来の４点リンク機構を用いた場合の軌跡を示す。
【００４９】
従来の図７（Ｂ）の机は、上側天板１１に設けられた回転軸６１ａ，６１ｂと、下側天板１３に設けられた回転軸６１ｃ，６１ｄとをリンク部材６３、６５で連結してリンク機構を構成している。
【００５０】
またこの図７（Ｂ）の机は、通常使用時とパソコン使用時において、上側天板１１の位置が図７（Ａ）の場合と等しくなるように各回転軸の位置やリンク部材の長さが設定されている。即ち、上側天板１１の大きさ、下側天板１３の表面を基準としたときのパソコン使用時における上側天板１１後方端までの高さ（Ｈ１およびＨ３）、通常使用時における上側天板１１の上面までの高さ（Ｈ２およびＨ４）、リンク部材６３とロッドリンク２７の位置および長さが等しい。
【００５１】
しかしながら、本実施例において、通常使用時における上側天板１１の後端から、上側天板１１が変位する際に上側天板１１の前端が通過する軌跡の前端までの距離Ｄ１は、従来の４点リンク機構における距離Ｄ２と比較して、Ｄ３分小さくなる。
【００５２】
前方への突出量が小さくなる理由を説明する。突出量は、上側天板１１の変位時の傾きによって変化する。突出量が最大のとき、水平方向を基準とした傾きが小さければ突出量が大きくなり、水平方向を基準とした傾きが大きければ突出量が小さくなる。
【００５３】
図７（Ｂ）において、突出量最大のときの上側天板１１の傾きは、回転軸６１ａ´と６１ｂ´とを結ぶ角度によって定まる。６１ｂ´は、半径ｒ（リンク部材６５の長さ）によって定まる円弧上の点である。即ち、最大突出量は半径ｒによって左右される。半径ｒを小さくすれば傾きが大きくなる（突出量が小さくなる）が、パソコン使用時における上側天板１１の下方への移動量が低下し、Ｈ３が大きくなってしまう。
【００５４】
一方、図７（Ａ）では、上側天板１１はスライドリンク２９を介して摺動するように連結しているため、第３軸部材４３を前方に寄せることで、Ｈ１を変化させることなく半径ｒに相当する距離を小さくすることができる。よって、最大突出量のときの天板の傾きを大きくし、最大突出量を小さくすることができる。図７（Ａ），（Ｂ）においては、本実施例に相当する場合が５８°、従来の４点リンクが５３°となった。
【００５５】
このように前方への突出量が小さくなることで、上側天板１１を変位させるために前方に必要なスペースを小さくすることができる。
（４）発明の効果
本実施例の机１では、上側天板１１の位置を通常使用時とパソコン使用時とで変化させることができ、またパソコン使用時には上側天板１１の一部が下側天板１３よりも下側となるため、上側天板１１が視界を遮ることなく前方を視認することができる。
【００５６】
また、上側天板１１の位置が通常使用時とパソコン使用時とで移動する過程において、上側天板１１が前方に突出する突出量を小さくすることができる。そのため、講義室のように複数の机１を密集して並べて用いる場合であっても、机１の前後方向の配置間隔を小さくすることや、着座のための空間を広くとることが可能になる。
【００５７】
また、上記机１では、上側天板１１を変位させるときに上側天板１１のこじれ（もつれ）が生じにくいため、例えば上側天板１１の左右いずれかの端部のみを持って変位を行う場合のように、上側天板１１が少々傾いた状態であっても、上側天板１１をスムーズに変位させることができる。
【００５８】
また、上記机１では、上側天板１１にスライドレール２３が固定され、そのスライドレール２３はスライドリンク２９から離脱不能に連結している。よって上側天板１１の前方がスライドリンク２９などから離れてしまうことを防止できる。よって、上側天板１１が変位するときの上側天板１１の位置が安定するため、変位時に上側天板１１が揺動することが抑制でき、容易かつ安全に変位を実現することができる。
（５）変形例
以上、本発明の実施例について説明したが、本発明は、上記実施例に何ら限定されることはなく、本発明の技術的範囲に属する限り種々の形態をとり得ることはいうまでもない。
【００５９】
例えば、上記実施例においては、机１が複数人で使用するものである構成を例示したが、１人で使用する机でであってもよい。また、下側天板１３にはパソコン５を設置して利用する構成を例示したが、それ以外の用途であってもよいし、下側天板１３を設けず、上側天板１１のみを用いる構成であってもよい。その場合には、天板保持部１５は下側天板１３以外の例えば机の脚部などに設けるとよい。
【００６０】
また、上記実施例においては、天板保持部１５は左右方向（第１軸部材３１などの軸線方向）に並べて２つ配置される構成を例示したが、１つのみ配置される構成であってもよいし、３つ以上並べて配置される構成であってもよい。
【００６１】
また、上記天板保持部１５は、第２リンクベース２５を中心とし、全体として１つのユニットとなっている構成を例示した。しかしながら、ロッドリンク２７，第１リンクベース２１，第２軸部材４１などからなる機構と、スライドリンク２９，スライドレール２３，第３軸部材４３などからなる機構と、が別々に設けられる構成であってもよい。
【００６２】
上記の場合には、各機構は前後方向に並べて設けられる必要は無く、またその設置される数も異なっていてよい。例えば、上側天板１１の左右両端付近にロッドリンク２７を中心とする機構が配置され、上側天板１１の左右方向の中央にスライドリンク２９を中心とする機構を配置することが考えられる。またそれらの配置を逆にしてもよい。
【００６３】
なお、実施例のように天板保持部１５を１つのユニットとして構成しておくことで、取り付け作業時の工数を削減できるとともに、取り付け作業時に位置ずれが生じにくく、２つの機構の位置精度を向上させることができる。
【００６４】
また、上記実施例においては、断面Ｔ字型のスライド樹脂５５がスライドレール２３に係合する構成を例示したが、スライド樹脂５５以外のものが係合する構成であってもよい。
【００６５】
一例を図８（Ａ）〜（Ｃ）に示す。図８（Ａ）が第３軸部材４３付近の側面図、図８（Ｂ）が背面図、図８（Ｃ）が平面図のそれぞれ部分断面図である。この例は、スライドリンク７１に上側天板１１と直交する方向に回転軸を有するローラー７３を設け、このローラー７３をスライドレール２３内に配置する構成を示すものである。この構成では、ローラー７３の回転によって、摩擦力を小さくして上側天板１１を摺動させることができる。
【００６６】
また、別の例を図９（Ａ）〜（Ｃ）に示す。図９（Ａ）が第３軸部材４３付近の側面図、図９（Ｂ）が背面図、図９（Ｃ）が平面図のそれぞれ部分断面図である。この例は、スライドレール２３の内側にラック８１を設け、スライドリンク８３に上側天板１１の主たる面と直交する方向に回転軸を有するピニオンギア８５を設け、このピニオンギア８５をスライドレール２３内に配置する構成を示すものである。この構成において、さらに、ピニオンギア８５の回転軸にダンパー機能を持たせることで、上側天板１１の急激な移動を抑制することができるようになる。
【００６７】
また、別の例を図１０（Ａ）〜（Ｃ）に示す。図１０（Ａ）が第３軸部材４３付近の側面図、図１０（Ｂ）が背面図、図１０（Ｃ）が平面図のそれぞれ部分断面図である。この例は、スライドレール２３に変えて、上側天板１１の前後方向に沿って延びるスライドシャフト９１を、上側天板１１との間隔を開けて上側天板１１に取り付け、そのスライドシャフト９１の側面をスライドリンク９３にて摺動可能に覆う構成を示すものである。なおこの場合には、スライドリンク９３とスライドシャフト９１との接触面にブッシュ９５を配置してもよい。スライドシャフト９１には金属棒などの安価な部材を用いることができるため、製造コストの低減が可能となる。
【００６８】
また、上記実施例においては、スライドレール２３を介してスライドリンク２９と上側天板１１とが連結する構成を例示したが、上側天板１１は第１軸部材３１のみで連結している構成であってもよい。
【００６９】
具体的には、図１１（Ａ）に示すように、スライドリンク２９に変えて下側天板１３上にローラー１０１を設け、そのローラー１０１の円周面が上側天板１１と接触することで摺動するように構成してもよい。さらに、ローラー１０１などを設けることなく、図１１（Ｂ）に示すように、摩擦の小さい摺動材質部品１０３にて上側天板１１と接触し、摺動する構成であってもよい。
【００７０】
また、上記のように構成した場合には、パソコン使用時においてローラー１０１や摺動材質部品１０３に上側から接触するストッパ１０５を第１リンクベース１０７上に設けてもよい。もちろん、第１リンクベース１０７以外の位置にストッパ１０５を設けても良い。さらに、パソコン使用時の位置から上側天板１１が移動しないようにするロック機構を設けてもよい。
【００７１】
また、上記のように構成した場合には、上側天板１１におけるローラー１０１や摺動材質部材１０３と摺動する部分に、摺動方向に沿って延びる凹部または凸部を有するガイド部を設けるとよい。このときの断面図（上側天板１１の前後方向と交差する方向の断面を示す図）を図１２（Ａ）〜（Ｃ）に示す。図１２（Ａ），（Ｂ）のように、ローラー１０１や摺動材質部材１０３と、ガイド部１１１，１１３とが係合するように構成することで、ローラー１０１や摺動材質部材１０３は前後方向への摺動が案内され、左右方向の摺動が抑制される結果、上側天板１１の変位が案内されることとなり、上側天板１１がずれてこじれてしまうことを抑制できる。
【００７２】
また、図１２（Ｃ）に示すように、ガイド部として、上側天板１１の前後方向に延びる突出部１１５ａ，１１５ｂを上側天板１１の左右方向に距離を開けて配置し、それに沿うようにローラー１０１や摺動材質部材１０３を設けてもよい。図１２（Ｃ）においては突出部１１５ａ，１１５ｂがローラー１０１などの外側に配置される構成を示しているが、内側に配置される構成であってもよい。
【符号の説明】
【００７３】
１…机、３…椅子、５…パソコン、１１…上側天板、１３…下側天板、１５…天板保持部、１７…ストッパ、２１…第１リンクベース、２３…スライドレール、２５…第２リンクベース、２７…ロッドリンク、２９…スライドリンク、３１…第１軸部材、３３…主部、３３ａ…雌ネジ、３５…ネジ、３７…サポートバネ、４１…第２軸部材、４３…第３軸部材、５１…ボルト、５３…ダンパー、５５…スライド樹脂、６１ａ〜６１ｄ…回転軸、６３，６５…リンク部材、７１…スライドリンク、７３…ローラー、８１…ラック、８３…スライドリンク、８５…ピニオンギア、９１…スライドシャフト、９３…スライドリンク、９５…ブッシュ、１０１…ローラー、１０３…摺動材質部品、１０５…ストッパ、１０７…第１リンクベース、１１１，１１３…ガイド部、１１５ａ，１１５ｂ…突出部、１２１…天板、１２３…天板、１２５，１２７，１２９，１３１…リンクアーム
【図１】
0005517795.tif 000002
【図２】
0005517795.tif 000003
【図３】
0005517795.tif 000004
【図４】
0005517795.tif 000005
【図５】
0005517795.tif 000006
【図６】
0005517795.tif 000007
【図７】
0005517795.tif 000008
【図８】
0005517795.tif 000009
【図９】
0005517795.tif 000010
【図１０】
0005517795.tif 000011
【図１１】
0005517795.tif 000012
【図１２】
0005517795.tif 000013
【図１３】
0005517795.tif 000014